(57)【要約】【課題】ウェブサイト自動推薦システム、方法、及びプログラムを提供する。【解決手段】本発明の実施例に係るウェブサイト自動推薦システムは、被推薦人にウェブサイトを推薦しようとする推薦人によって登録された被推薦人端末機に推薦のメッセージを送信し、被推薦人端末機から加入拒否を示す応答メッセージを受信すると推薦人端末機に加入拒否を通報し、応答メッセージを確認した推薦人が被推薦人にウェブサイトを再度推薦しようとすると、被推薦人端末機に再推薦のメッセージを送信し、推薦のメッセージまたは再推薦のメッセージを受信した被推薦人がウェブサイトに会員加入すると、被推薦人を推薦した推薦人を自動で抽出して被推薦人端末機に提供する管理サーバーと、推薦人情報を格納及び管理する推薦人ＤＢと、被推薦人情報を格納及び管理し、被推薦人情報に推薦人情報を関連付けて格納する被推薦人ＤＢとを含むデータベースと、を備える。【選択図】図２
2018013993.tif 000002
【特許請求の範囲】
【請求項１】
被推薦人にウェブサイトを推薦しようとする推薦人によって登録された被推薦人端末機に推薦のメッセージを送信し、前記被推薦人端末機から加入拒否を示す応答メッセージを受信すると推薦人端末機に前記加入拒否を示す応答メッセージを通報し、前記加入拒否を示す応答メッセージを確認した推薦人が前記被推薦人に前記ウェブサイトを再度推薦しようとすると、前記被推薦人端末機に再推薦のメッセージを送信し、前記推薦のメッセージまたは前記再推薦のメッセージを受信した被推薦人が前記ウェブサイトに会員加入すると、前記被推薦人を推薦した推薦人を自動で抽出して前記被推薦人端末機に提供する管理サーバーと、
推薦人情報を格納及び管理する推薦人ＤＢと、被推薦人情報を格納及び管理し、前記被推薦人情報に前記推薦人情報を関連付けて格納する被推薦人ＤＢとを含むデータベースと、
を備える、
ウェブサイト自動推薦システム。
【請求項２】
前記管理サーバーは、前記被推薦人端末機に前記被推薦人を推薦した推薦人に関する情報である推薦人リスト情報を送信し、前記推薦人リスト情報に含まれた推薦人が複数の場合、前記被推薦人端末機から特定の推薦人を選択するための情報である推薦人選択情報を受信する、
請求項１に記載のウェブサイト自動推薦システム。
【請求項３】
前記管理サーバーは、前記推薦人端末機から被推薦人情報を受信する場合、前記被推薦人の仮想ＩＤを生成し、前記仮想ＩＤを前記推薦人端末機に送信し、前記被推薦人の加入拒否を通報された推薦人が前記仮想ＩＤでログインする場合、前記推薦人が前記応答メッセージを確認できるようにする、
請求項１または２に記載のウェブサイト自動推薦システム。
【請求項４】
前記再推薦のメッセージは、前記推薦人によって直接入力されたコメント情報を含む、
請求項１乃至３の何れか一つに記載のウェブサイト自動推薦システム。
【請求項５】
前記管理サーバーは、
前記推薦人による前記被推薦人の会員加入を管理する会員加入管理部と、
前記データベースを検索して推薦人情報、被推薦人情報、推薦日時、推薦形態のうち少なくとも一つを含む推薦関連情報を収集する推薦情報収集部と、
前記推薦情報収集部が収集した推薦関連情報に基づいて複数の推薦人に対する推薦順位を決定する推薦順位決定部と、
前記推薦順位決定部が決定した推薦順位に基づいて推薦人を抽出する推薦人抽出部と、
を含む、
請求項１乃至４の何れか一つに記載のウェブサイト自動推薦システム。
【請求項６】
前記推薦人抽出部は、前記推薦順位決定部が決定した推薦順位に基づいて推薦順位が最も高い一人、前もって設定された順位内の人、または登録された全ての人を推薦人として抽出する、
請求項５に記載のウェブサイト自動推薦システム。
【請求項７】
推薦人ＤＢと被推薦人ＤＢを含むデータベースと、管理サーバーとを備え、被推薦人にウェブサイトを推薦しようとする推薦人によって登録された被推薦人端末機に推薦のメッセージを自動で送信するウェブサイト自動推薦システムで用いるウェブサイト自動推薦方法において、
（Ａ）前記管理サーバーが、推薦人端末機を介して入力された被推薦人情報を受信して非推薦人情報として登録する工程と、
（Ｂ）前記管理サーバーが、前記被推薦人端末機に推薦のメッセージを送信し、前記被推薦人端末機から加入拒否を示す応答メッセージを受信すると、前記推薦人端末機に前記加入拒否を示す応答メッセージを通報し、前記加入拒否を示す応答メッセージを確認した推薦人が前記被推薦人を再度推薦しようとすると、前記被推薦人端末機に再推薦のメッセージを送信する工程と、
（Ｃ）前記管理サーバーが、前記再推薦のメッセージを受信した被推薦人端末機を介して会員加入リクエスト信号を受信する工程と、
（Ｄ）前記管理サーバーが、前記被推薦人ＤＢを検索して前記被推薦人情報と関連付けて格納された推薦人情報を収集する工程と、
（Ｅ）前記管理サーバーが、前記被推薦人を推薦した推薦人に関する情報である推薦人リスト情報を前記被推薦人端末機に提供する工程と、
（Ｆ）前記管理サーバーが、前記推薦人リスト情報に含まれた推薦人が複数である場合、前記被推薦人端末機から特定の推薦人を選択するための情報である推薦人選択情報を受信する工程と、
を備える、
ウェブサイト自動推薦方法。
【請求項８】
前記（Ａ）工程で、前記管理サーバーが、前記推薦人端末機から前記被推薦人情報を受信する場合、前記被推薦人の仮想ＩＤを生成し、前記仮想ＩＤを前記推薦人端末機に送信し、
前記（Ｂ）工程で、前記管理サーバーが、前記被推薦人の加入拒否を通報された推薦人が前記仮想ＩＤでログインする場合、前記推薦人が前記応答メッセージを確認できるようにする、
請求項７に記載のウェブサイト自動推薦方法。
【請求項９】
前記再推薦のメッセージは、前記推薦人によって直接入力されたコメント情報を含む、
請求項７または８に記載のウェブサイト自動推薦方法。
【請求項１０】
前記（Ｅ）工程は、
（Ｅ１）複数の推薦人に対する推薦順位を決定する工程と、
（Ｅ２）前記複数の推薦人のうち、推薦順位が最も高い一人、前もって設定された順位内の人、または登録された全ての人を推薦人として抽出する工程と、
を含む、
請求項７乃至９の何れか一つに記載のウェブサイト自動推薦方法。
【請求項１１】
（Ｇ）前記管理サーバーが、前記推薦人端末機にポイントを提供する工程をさらに備える、
請求項７乃至１０の何れか一つに記載のウェブサイト自動推薦方法。
【請求項１２】
請求項７乃至１１の何れか一つに記載のウェブサイト自動推薦方法を実行するためのコードを備える、
コンピューターで実行可能なプログラム。
【発明の詳細な説明】
【技術分野】
【０００１】
本発明は、ウェブサイト自動推薦システム、方法、及びプログラムに関する。
【０００２】
より詳しくは、特定のウェブサイトに加入した会員が友人や知人に直接広告及び推薦のメッセージを送信しなくても友人や知人に自動で推薦のメッセージを送信することができ、推薦を受けた被推薦人が当該ウェブサイトに会員加入時に推薦人ＩＤを入力しなくても推薦人を自動で認識するだけでなく、加入率を大きく高められる、ウェブサイト自動推薦システム、方法、及びプログラムに関する。
【背景技術】
【０００３】
多数の販売者と購入者の間に商品の電子商取引を提供するオンラインマーケットプレース、各種有料コンテンツを販売するウェブサイト、商品とコンテンツを両方販売するポータルサイト、ビーツービー（Ｂ  ｔｏ  Ｂ：Ｂｕｓｉｎｅｓｓ  ｔｏ  Ｂｕｓｉｎｅｓｓ）環境を提供するサイトなどは、より多くの商品を販売するために広告をする。
【０００４】
そして、購入者がウェブサイトに接続して商品やコンテンツを購買することで発生する収益は、当該ウェブサイトの運営者と販売者が分け合うことになり、購入者にはポイントなどが積立てられる。購入者は、将来当該ウェブサイトの違う商品やコンテンツを購入する際に溜まったポイントを現金のように使うことができる。
【０００５】
さらに、既存の購入者や特定分野の専門家または専門業者が経験や専門的知識に基づいて推薦コンテンツ（コラム、記事、商品レビューなど）を作成するか、または友人や知人に推薦のテキストメッセージを送る。このように推薦を受けた人が当該ウェブサイトに会員加入してウェブサイトを利用する場合、そのウェブサイトを運営する事業者が推薦人に所定の報償（Ｒｅｗａｒｄ）を与えるシステムを介してウェブサイトや会社の広告を行うことが、会員を集めるための方法として利用されてきた。
【０００６】
一方、従来のウェブサイト推薦方法は、インターネットのウェブサイトに会員加入して特定のサービスを利用するユーザーが友人や知人に自身が利用するウェブサイトを広告または推薦する目的で携帯電話を用いて通話やテキストメッセージを送り、メッセージを受けた被推薦人が当該ウェブサイトに会員加入する際に、推薦した会員のＩＤを入力することで推薦人として認識されるかまたは被推薦人に電子メールを送信して当該電子メールに含まれたリンクまたは埋め込まれた（Ｅｍｂｅｄｅｄ）リンクを介して特定のウェブサイトに接続または加入する際に推薦人として認識する方法が主に用いられている。
【先行技術文献】
【特許文献】
【０００７】
【特許文献１】韓国公開特許第１０−２０１０−００９６９７５号
【発明の概要】
【発明が解決しようとする課題】
【０００８】
従来のウェブサイトで会員が友人や知人に広告または推薦する方法には、自動でそれを行うシステムがなく、推薦をしようとする会員は、広告や推薦のメッセージを送信するのに心理的な負担を感じるので、持続的にメッセージを送信できないという問題点があった。
【０００９】
さらに、被推薦人が会員加入する際に、推薦人のＩＤを入力しないと推薦人として確認されないので、被推薦人が当該ウェブサイトに加入することを嫌ったり、会員加入の手続き自体に不便があった。
【００１０】
さらに、被推薦人が推薦人から電子メールを受信して直ちに会員加入すると、電子メールに含まれたリンクまたは埋め込まれたリンクを介して自動で推薦人を認識する方法においても、被推薦人が直ちに会員加入をせずに時間が経って（１日後、１０日後、または３０日後など）電子メールに含まれたリンクまたは埋め込まれたリンクを通さずに会員加入をすると、推薦人を自動で認識できない問題があった。
【００１１】
さらに、推薦人のＩＤを入力するか電子メールに含まれたリンクまたは埋め込まれたリンクを介して会員加入するときのみに推薦人として認識される不便があり、被推薦人が当該ウェブサイトに会員加入をしない問題が発生し得るので、ウェブサイトの運営者は会員を集めるのが容易ではなかった。
【００１２】
従って、友人や知人に広告または推薦をするためにメッセージを送信することに違和感を感じる会員に、代わりに自動で推薦できるように支援するシステムの運営方法が要求されている。
【００１３】
また、ウェブサイトを広告または推薦しようとする会員が友人や知人にテキストまたは電子メールを介して広告または推薦をすると、時間が経ってから被推薦人が会員加入する際に推薦人ＩＤを入力しなくてもまたは電子メールに含まれたリンクまたは埋め込まれたリンクを通さなくても、推薦人を自動で認識することができるシステム及び運営方法が要求される。
【００１４】
本発明が解決しようとする一つの技術的課題は、従来の技術においての限界と短所によって発生する様々な問題を実質的に補うことができるウェブサイト自動推薦システム、方法、及びプログラムを提供することである。
【００１５】
本発明のもう一つの技術的課題は、推薦活動をしようとする会員が友人や知人などの被推薦人に個別に推薦のメッセージを送信しなくても、自動で被推薦人に推薦のメッセージを送信することができるウェブサイト自動推薦システム、方法、及びプログラムを提供することである。
【００１６】
本発明のさらにもう一つの技術的課題は、被推薦人が推薦されたウェブサイトに会員加入する際に推薦人のＩＤを入力しなくても推薦人を自動で認識することができるウェブサイト自動推薦システム、方法、及びプログラムを提供することである。
【００１７】
本発明のさらにもう一つの技術的課題は、推薦人によって推薦された被推薦人の加入率を高められるウェブサイト自動推薦システム、方法、及びプログラムを提供することである。
【００１８】
上記以外の本発明の技術的課題及び目的は、以下の実施例に関する記載を通して容易に理解されることであろう。
【課題を解決するための手段】
【００１９】
本発明の実施例においては、被推薦人にウェブサイトを推薦しようとする推薦人によって登録された被推薦人端末機に推薦のメッセージを送信し、被推薦人端末機から加入拒否を示す応答メッセージを受信すると推薦人端末機に加入拒否を示す応答メッセージを通報し、加入拒否を示す応答メッセージを確認した推薦人が被推薦人にウェブサイトを再度推薦しようとすると、被推薦人端末機に再推薦のメッセージを送信し、推薦のメッセージまたは再推薦のメッセージを受信した被推薦人がウェブサイトに会員加入すると、被推薦人を推薦した推薦人を自動で抽出して被推薦人端末機に提供する管理サーバーと、推薦人情報を格納及び管理する推薦人ＤＢと、被推薦人情報を格納及び管理し、被推薦人情報に推薦人情報を関連付けて格納する被推薦人ＤＢとを含むデータベースと、を備える、ウェブサイト自動推薦システムを提供する。
【００２０】
本発明の実施例において、管理サーバーは、被推薦人端末機に被推薦人を推薦した推薦人に関する情報である推薦人リスト情報を送信し、推薦人リスト情報に含まれた推薦人が複数の場合、被推薦人端末機から特定の推薦人を選択するための情報である推薦人選択情報を受信する。
【００２１】
本発明の実施例において、管理サーバーは、推薦人端末機から被推薦人情報を受信する場合、被推薦人の仮想ＩＤを生成し、仮想ＩＤを推薦人端末機に送信し、被推薦人の加入拒否を通報された推薦人が仮想ＩＤでログインする場合、推薦人が応答メッセージを確認できるようにする。
【００２２】
本発明の実施例において、再推薦のメッセージは、推薦人によって直接入力されたコメント情報を含む。
【００２３】
本発明の実施例において、管理サーバーは、推薦人による被推薦人の会員加入を管理する会員加入管理部と、データベースを検索して推薦人情報、被推薦人情報、推薦日時、推薦形態のうち少なくとも一つを含む推薦関連情報を収集する推薦情報収集部と、推薦情報収集部が収集した推薦関連情報に基づいて複数の推薦人に対する推薦順位を決定する推薦順位決定部と、推薦順位決定部が決定した推薦順位に基づいて推薦人を抽出する推薦人抽出部と、を含む。
【００２４】
本発明の実施例において、推薦人抽出部は、推薦順位決定部が決定した推薦順位に基づいて推薦順位が最も高い一人、前もって設定された順位内の人、または登録された全ての人を推薦人として抽出する。
【００２５】
本発明の実施例においては、推薦人ＤＢと被推薦人ＤＢを含むデータベースと、管理サーバーとを備え、被推薦人にウェブサイトを推薦しようとする推薦人によって登録された被推薦人端末機に推薦のメッセージを自動で送信するウェブサイト自動推薦システムで用いるウェブサイト自動推薦方法において、（Ａ）管理サーバーが、推薦人端末機を介して入力された被推薦人情報を受信して非推薦人情報として登録する工程と、（Ｂ）管理サーバーが、被推薦人端末機に推薦のメッセージを送信し、被推薦人端末機から加入拒否を示す応答メッセージを受信すると、推薦人端末機に加入拒否を示す応答メッセージを通報し、加入拒否を示す応答メッセージを確認した推薦人が被推薦人を再度推薦しようとすると、被推薦人端末機に再推薦のメッセージを送信する工程と、（Ｃ）管理サーバーが、再推薦のメッセージを受信した被推薦人端末機を介して会員加入リクエスト信号を受信する工程と、（Ｄ）管理サーバーが、被推薦人ＤＢを検索して被推薦人情報と関連付けて格納された推薦人情報を収集する工程と、（Ｅ）管理サーバーが、被推薦人を推薦した推薦人に関する情報である推薦人リスト情報を被推薦人端末機に提供する工程と、（Ｆ）管理サーバーが、推薦人リスト情報に含まれた推薦人が複数である場合、被推薦人端末機から特定の推薦人を選択するための情報である推薦人選択情報を受信する工程と、を備える、ウェブサイト自動推薦方法を提供する。
【００２６】
本発明の実施例において、（Ａ）工程で、管理サーバーが、推薦人端末機から被推薦人情報を受信する場合、被推薦人の仮想ＩＤを生成し、仮想ＩＤを推薦人端末機に送信し、（Ｂ）工程で、管理サーバーが、被推薦人の加入拒否を通報された推薦人が仮想ＩＤでログインする場合、推薦人が応答メッセージを確認できるようにする。
【００２７】
本発明の実施例において、再推薦のメッセージは、推薦人によって直接入力されたコメント情報を含む。
【００２８】
本発明の実施例において、（Ｅ）工程は、（Ｅ１）複数の推薦人に対する推薦順位を決定する工程と、（Ｅ２）複数の推薦人のうち、推薦順位が最も高い一人、前もって設定された順位内の人、または登録された全ての人を推薦人として抽出する工程と、を含む。
【００２９】
本発明の実施例において、ウェブサイト自動推薦方法は、（Ｇ）管理サーバーが、推薦人端末機にポイントを提供する工程をさらに備える。
【００３０】
本発明の実施例においては、上述のウェブサイト自動推薦方法を実行するためのコードを備えるコンピューターで実行可能なプログラムを提供する。
【発明の効果】
【００３１】
本発明の少なくとも一つの実施例によれば、ウェブサイトの会員が自分のカスタマイズページであるマイページに被推薦人情報を入力した後に自動推薦に同意すると、ウェブサイト自動推薦システムで多数の被推薦人に自動で推薦のメッセージを送信するように構成することで、推薦人が夫々の被推薦人に個別に推薦のメッセージを送信する負担を解消し、違和感なく友人や知人に推薦活動を行えるという効果を奏する。
【００３２】
さらに、本発明の少なくとも一つの実施例によれば、推薦のメッセージを受信した被推薦人が当該ウェブサイトに会員加入する際に、氏名、携帯電話番号などを入力すると、ウェブサイト自動推薦システムで被推薦人登録状態を確認し、関連付けて格納された推薦人を自動で抽出することで、被推薦人が会員加入時に推薦人のＩＤ、氏名などを別途入力する負担を解消することができるという効果を奏する。
【００３３】
さらに、本発明の少なくとも一つの実施例によれば、ウェブサイト自動推薦システムで被推薦人登録状態を確認し、関連付けて格納された多数の推薦人を自動で抽出して提供し、被推薦人は、個人の意思によって推薦人を自分で選択することができるという効果を奏する。
【００３４】
さらに、本発明の少なくとも一つの実施例によれば、被推薦人のウェブサイトでの活動内容に基づいて推薦人がウェブサイトの運営者から報償を受けることができるので、推薦活動を積極的に行えるという効果を奏する。
【００３５】
さらに、本発明の少なくとも一つの実施例によれば、オンライン上で活動する全ての人が互いに個人の活動によって友人や知人にメリットを与える二次的な効果が得られるので、良い人間関係を築くことができるという効果を奏する。
【００３６】
さらに、本発明の少なくとも一つの実施例によれば、推薦人によって推薦された被推薦人の加入率を大きく高められるウェブサイト自動推薦システム、方法、及び当該方法を実行するためのプログラムを提供できるという効果を奏する。
【図面の簡単な説明】
【００３７】
【図１】本発明の少なくとも一つの実施例に係るウェブサイト自動推薦システムのブロック図である。
【図２】本発明の少なくとも一つの実施例に係るウェブサイト自動推薦の工程を説明するためのフローチャートである。
【図３】本発明の少なくとも一つの実施例に係る会員のマイページの推薦活動関連部分を表す画面である。
【図４】本発明の少なくとも一つの実施例に係る推薦人自動認識工程を説明するためのフローチャートである。
【図５】本発明の少なくとも一つの実施例に係る被推薦人端末機に提供される推薦人認識情報画面である。
【図６】本発明の少なくとも一つの実施例に係る推薦人自動認識工程を説明するためのフローチャートである。
【図７】本発明の少なくとも一つの実施例に係る被推薦人端末機に提供される推薦人認識情報画面である。
【発明を実施するための形態】
【００３８】
以下では、添付の図面を参照して、本発明の少なくとも一つの実施例に係るウェブサイト自動推薦システム、方法、及びプログラムについて詳しく説明する。
【００３９】
図１は、本発明の少なくとも一つの実施例に係るウェブサイト自動推薦システムのブロック図である。
【００４０】
図１に示すように、本発明の少なくとも一つの実施例に係るウェブサイト自動推薦システム（２００）は、管理サーバー（２１０）とデータベース（２２０）を備える。ウェブサイト自動推薦システム（２００）は、推薦人端末機（１００）及び被推薦人端末機（３００）と有無線ネットワークを介して接続されている。
【００４１】
管理サーバー（２１０）は、ウェブサーバー（不図示）内に備えられ、ウェブサイトを推薦しようとする会員（推薦人）の代わりに被推薦人に広告または推薦のメッセージを送信する。ウェブサーバーは、通常の電子商取引用のウェブサイトを運営して、多数の販売者と多数の購入者の間で商品、サービス、またはコンテンツ（以下、「商品」）の売買が行われるようにする。
【００４２】
管理サーバー（２１０）は、ウェブサイトに加入済みの会員（推薦人）の推薦を受けた被推薦人がウェブサイトに会員として加入する際に、被推薦人を推薦した推薦人を自動で認識し、当該推薦人にポイントを提供するなど、ウェブサイトの推薦に伴う報償を提供する。
【００４３】
そのために、管理サーバー（２１０）は、推薦加入管理部（２１１）、推薦情報収集部（２１２）、推薦順位決定部（２１４）、及び推薦人抽出部（２１６）を含む。
【００４４】
推薦加入管理部（２１１）は、推薦人による被推薦人の会員加入過程を管理する機能を行う。具体的に、推薦加入管理部（２１１）は、被推薦人にウェブサイトを推薦しようとする推薦人によって登録された被推薦人端末機（３００）に推薦のメッセージを送信し、被推薦人端末機（３００）から加入拒否を示す応答メッセージを受信する場合、推薦人端末機（１００）に加入拒否を通報し、応答メッセージを確認した推薦人が当該被推薦人を再度推薦する場合、被推薦人端末機（３００）に再推薦のメッセージを送信する。
【００４５】
例えば、推薦加入管理部（２１１）は、被推薦人端末機（３００）に被推薦人を推薦した推薦人に関する情報である推薦人リスト情報を送信し、推薦人リスト情報に含まれた推薦人が複数である場合、被推薦人端末機（３００）から特定推薦人を選択するための情報である推薦人選択情報を受信する機能を行う。
【００４６】
例えば、推薦加入管理部（２１１）は、推薦人端末機（１００）から被推薦人情報を受信する場合、被推薦人の仮想ＩＤを生成し、当該仮想ＩＤを推薦人端末機（１００）に送信し、被推薦人の加入拒否を通報された推薦人が当該仮想ＩＤでログインする場合、推薦人が上記の応答メッセージを確認することを可能とする。
【００４７】
推薦情報収集部（２１２）は、推薦人ＤＢ（２２４）及び被推薦人ＤＢ（２２６）を検索し、推薦関連情報を収集する。ここで、推薦関連情報は、推薦人情報（氏名、携帯電話番号、電子メールアドレスなど）、被推薦人情報（氏名、携帯電話番号、電子メールアドレスなど）、推薦日時、推薦形態（自動推薦、直接推薦など）を含む。
【００４８】
推薦順位決定部（２１４）は、推薦情報収集部（２１２）で収集した推薦関連情報に基づいて多数の推薦人に対する推薦人順位を決定する。ここで、推薦人順位は、推薦日時や推薦形態によって決定することができる。例えば、先に推薦した人が後で推薦した人より高い順位を与えられるか、推薦形態によって、コンピューターが自動的に推薦処理を実行する自動推薦よりも、推薦人自身が推薦処理を実行する直接推薦の方が高い順位を与えられるようにする。推薦順位決定部（２１４）は、最も早く直接推薦をした人に最も高い順位を与えてもよい。
【００４９】
推薦人抽出部（２１６）は、推薦順位決定部（２１４）によって決定された推薦順位に基づいて推薦人を抽出する。ここで、推薦人抽出部（２１６）は、推薦順位決定部（２１４）によって決定された推薦人順位に基づいて、最も順位の高い一人を推薦人として抽出するか、特定の順位（例えば、３位）内の推薦人を全て推薦人として抽出することができる。他には、被推薦人を推薦したすべての人を推薦人として抽出することができる。
【００５０】
データベース（２２０）は、管理サーバー（２１０）の動作に必要な各種データを格納して管理し、会員ＤＢ（２２２）、推薦人ＤＢ（２２４）、及び被推薦人ＤＢ（２２６）を含む。
【００５１】
会員ＤＢ（２２２）は、当該ウェブサイトの会員情報を格納及び管理する。ここで、会員情報は、氏名、会員ＩＤ、パスワード、生年月日、固定電話番号、携帯電話番号、電子メールアドレス、推薦活動受諾状態などに関する情報を含む。
【００５２】
推薦人ＤＢ（２２４）は、推薦人情報を格納及び管理する。ここで、推薦人情報は、ウェブサイトの会員のうち推薦活動をすることに同意した会員の情報を意味するもので、氏名、携帯電話番号、電子メールアドレスなどに関する情報を含む。
【００５３】
被推薦人ＤＢ（２２６）は、被推薦人情報を格納及び管理する。ここで、被推薦人情報は、氏名、携帯電話番号、電子メールアドレスなどに関する情報を含む。さらに、被推薦人情報には、推薦人を識別できる情報、例えば、推薦人の氏名、推薦人の携帯電話番号などを一緒に格納することができる。
【００５４】
上記のような構成を有する本発明の少なくとも一つの実施例に係るウェブサイト自動推薦システムを用いたウェブサイト自動推薦工程は次の通りである。以下の説明は、本発明の少なくとも一つの実施例に係るウェブサイト自動推薦方法に適用できる。
【００５５】
図２は、本発明の少なくとも一つの実施例に係るウェブサイト自動推薦の工程を説明するためのフローチャートである。
【００５６】
図２に示すように、ステップＳ１０で、推薦活動をしようとする会員（推薦人）が推薦人端末機（１００）を介してウェブサイトにログインする。
【００５７】
ステップＳ２０で、ログインを行ってから推薦人が推薦人端末機（１００）を介してインタフェース画面上のマイページ項目をクリックし、これに応答してウェブサイト自動推薦システム（２００）の管理サーバー（２１０）は、図３に示すような推薦活動関連入力ウィンドウを提供する。
【００５８】
図３は、本発明の少なくとも一つの実施例に係る会員のマイページの推薦活動関連部分を表す画面である。図３に示すように、被推薦人の氏名、携帯電話番号、推薦日を入力する項目、直接または間接推薦項目などが提供される。さらに、推薦を受けた被推薦人の会員加入状態を確認できる項目、電子メール項目、自動推薦同意項目、全体選択項目などが提供される。
【００５９】
図２に示すように、ステップＳ３０で、推薦人が推薦人端末機（１００）を用いて入力ウィンドウに推薦しようとする友人や知人（被推薦人）の氏名、携帯電話番号、電子メールアドレスなどを入力する。ここで入力される情報が被推薦人情報である。
【００６０】
ステップＳ４０で、被推薦人情報がウェブサイト自動推薦システム（２００）に送信される。
【００６１】
ステップＳ５０で、ウェブサイト自動推薦システム（２００）の管理サーバー（２１０）が、被推薦人の仮想ＩＤを生成する。この仮想ＩＤは、会員加入以前の被推薦人を管理するために利用されるだけでなく、推薦人が被推薦人に再推薦のメッセージを送信するのを誘導する機能を有する。
【００６２】
ステップＳ６０で、ウェブサイト自動推薦システム（２００）の管理サーバー（２１０）が、推薦人情報及び被推薦人情報を格納する。ここで、ウェブサイト自動推薦システム（２００）は、推薦人情報を推薦人ＤＢ（２２４）に格納し、被推薦人情報を被推薦人ＤＢ（２２６）に格納する。被推薦人ＤＢ（２２６）には、当該被推薦人を推薦した推薦人の情報が関連付けて格納される。例えば、関連付けて格納される推薦人情報は、推薦人の氏名、携帯電話番号など、推薦人を抽出（認識）できる程度の必要最小限の情報である。
【００６３】
ステップＳ７０で、ウェブサイト自動推薦システム（２００）の管理サーバー（２１０）が、被推薦人の仮想ＩＤを推薦人端末機（１００）に送信する。
【００６４】
ステップＳ８０で、ウェブサイト自動推薦システム（２００）の管理サーバー（２１０）が、推薦人が指定した被推薦人に推薦のメッセージを送信する。例えば、推薦のメッセージは、被推薦人の携帯電話に送信されたり、被推薦人のメールアドレスに電子メールで送信されたりする。推薦のメッセージには、被推薦人が自分を推薦した推薦人が誰かを認識できるように推薦人の氏名とともに送信することができる。
【００６５】
ステップＳ９０で、被推薦人は、被推薦人端末機（３００）を介してウェブサイト自動推薦システム（２００）から送信された推薦情報を確認する。
【００６６】
推薦情報を確認した被推薦人が提供された推薦情報に基づいて会員加入をする場合はステップＳ２１０に移動し、会員加入をしない場合はステップＳ１１０に移動する。
【００６７】
ステップＳ１１０で、被推薦人が被推薦人端末機（３００）に表示されるインタフェース画面の応答メッセージ入力ウィンドウを介して応答メッセージを入力する。例えば、応答メッセージは、会員加入を拒否する短い理由に関する情報で良い。被推薦人が応答メッセージを入力するような構成は、被推薦人が自身の知人である推薦人から推薦情報を受信した状態であるので、多くの被推薦人が推薦人との関係などを考慮して応答メッセージの入力に応じるという経験に基づいたものである。
【００６８】
ステップＳ１２０で、ウェブサイト自動推薦システム（２００）の管理サーバー（２１０）が応答メッセージを受信し、ステップＳ１３０で、ウェブサイト自動推薦システム（２００）がこの応答メッセージを格納する。
【００６９】
ステップＳ１４０で、ウェブサイト自動推薦システム（２００）の管理サーバー（２１０）が、被推薦人の加入拒否意思を推薦人端末機（１００）に送信する。
【００７０】
ステップＳ１５０で、推薦人がステップＳ７０を介して受信して格納中である被推薦人の仮想ＩＤを用いてログインする。
【００７１】
ステップＳ１６０で、ウェブサイト自動推薦システム（２００）の管理サーバー（２１０）が、推薦人に被推薦人が入力した応答メッセージを提供する。これによって、推薦人は、被推薦人に会員加入を拒否した理由に関する情報を得ることができる。
【００７２】
ステップＳ１７０で、推薦人が推薦人端末機（１００）を介して被推薦人情報を再入力する。この工程で入力される情報には、推薦人が被推薦人に会員加入を説得するコメント情報などが含まれる。
【００７３】
ステップＳ１８０では、ウェブサイト自動推薦システム（２００）の管理サーバー（２１０）が被推薦人情報を再受信する。
【００７４】
ステップＳ１９０では、ウェブサイト自動推薦システム（２００）の管理サーバー（２１０）が被推薦人端末機（３００）に再推薦のメッセージを送信する。この再推薦のメッセージには、例えば、ステップＳ１７０で推薦人が直接入力したコメント情報が含まれる。このコメント情報は、推薦人が被推薦人の会員加入を説得するための情報であり、推薦人の直接入力に委ねられているものでも良いし、予め用意されたひな型を編集するものでも良い。このように構成することで、被推薦人の会員加入率を大きく高めることができる。この際、管理サーバー（２１０）は、ステップＳ１７０で被推薦人情報を再入力した推薦人端末機（１００）に対して、予め用意された再推薦用のメッセージ候補を送信し、推薦人端末機（１００）において選択されたメッセージを含む再推薦のメッセージを送信してもよい。管理サーバー（２１０）は、推薦人の属性（年齢、性別等）に基づいて、送信するメッセージ候補を決定してもよい。また、管理サーバー（２１０）は、過去の加入拒否率の履歴に基づいて、推薦人の属性と被推薦人の属性との組み合わせにおける加入拒否率が低くなるメッセージ候補を選択して送信してもよい。このようにすることで、再推薦した結果、被推薦人が加入を決定する確率を高めることができる。
【００７５】
ステップＳ２００では、被推薦人が推薦人によって作成されたコメント情報が含まれている再推薦のメッセージを確認する。その後、被推薦人が会員加入を行うとステップＳ２１０に移動する。
【００７６】
被推薦人が会員加入を行うと、ステップＳ２１０で、ウェブサイト自動推薦システム（２００）の管理サーバー（２１０）が被推薦人に仮想ＩＤを正式のＩＤとして使うのかを問い合わせる。
【００７７】
被推薦人が仮想ＩＤを正式のＩＤとして使うという意思を表すと、ステップＳ２３０で、ウェブサイト自動推薦システム（２００）の管理サーバー（２１０）がこれをデータベース化する。
【００７８】
一方、被推薦人が仮想ＩＤを正式のＩＤとして使わないという場合は、ステップＳ２２０で、被推薦人に別のＩＤを正式のＩＤとして発給する。ステップＳ２３０で、ウェブサイト自動推薦システム（２００）の管理サーバー（２１０）がこれをデータベース化する。
【００７９】
上記のように、本発明の少なくとも一つの実施例によれば、ウェブサイトの会員がマイページに被推薦人情報を入力してから自動推薦に同意すると、管理サーバーで多数の被推薦人に自動で推薦のメッセージを送信するように構成することで、推薦人が夫々の被推薦人に個別に推薦のメッセージを送信する負担を解消することができる。
【００８０】
一方、本発明の少なくとも一つの実施例に係るウェブサイト自動推薦システムによれば、推薦人が推薦したウェブサイトに被推薦人が会員加入する場合、被推薦人が推薦人の氏名を直接入力しなくても、推薦人を自動で認識することができる。
【００８１】
図４は、本発明の少なくとも一つの実施例に係る推薦人自動認識工程を説明するためのフローチャートである。図５は、本発明の少なくとも一つの実施例に係る被推薦人端末機（３００）に提供される推薦人認識情報画面であり、推薦人が一人である場合を例として示している。
【００８２】
図４に示すように、まず、被推薦人が被推薦人端末機（３００）を介してウェブサイトに接続して会員加入の手続きを行うと（ステップＳ２００２）、管理サーバーの推薦情報収集部（２１２）で被推薦人ＤＢを検索し（ステップＳ２００４）、現在会員加入しようとする人が既存の会員によって推薦を受けた被推薦人であるかを確認する。即ち、当該被推薦人を推薦した推薦人が存在するかを確認する（ステップＳ２００６）。
【００８３】
ステップＳ２００６での確認の結果、推薦人が存在しないと、推薦人なしで会員情報を格納し（ステップＳ２００８）、推薦人が存在すると、図５に示すように、推薦人認識情報を被推薦人端末機（３００）に提供し、当該推薦人情報を会員情報と共に格納する（ステップＳ２０１０）。
【００８４】
次に、抽出した推薦人に、推薦に対する報償としてポイントを提供する（ステップＳ２０１２）。ここで、ウェブサイト自動推薦システムは、被推薦人のウェブサイトでの活動内容によって当該推薦人に持続的に一定の報償を提供することができる。例えば、ウェブサイト自動推薦システムは、被推薦人が、推薦を受けたウェブサイトで購入した商品の金額が所定の額を超えている期間において、商品の購入金額に応じた報償を推薦人に提供する。
また、推薦人が被推薦人に再推薦のメッセージを送信することによって推薦人が推薦したウェブサイトに被推薦人が会員加入した場合は、１回目の推薦で被推薦人が会員加入した場合よりも、推薦人に多くのポイントを提供してもよい。これにより、推薦人が被推薦人に対して再推薦のメッセージを送信することの意欲を高めることができる。
【００８５】
上述のように、本発明の少なくとも一つの実施例によれば、推薦のメッセージを受信した被推薦人が、当該ウェブサイトに会員加入を行う際に氏名、携帯電話番号などを入力すると、ウェブサイト自動推薦システムで被推薦人登録状態を確認し、関連付けて格納された推薦人を自動で抽出することで、被推薦人が会員加入時に推薦人の氏名、ＩＤなどを別途入力する負担を解消することができる。
【００８６】
一方、本発明の少なくとも一つの実施例に係るウェブサイト自動推薦システムによれば、推薦人が複数人存在する場合、ウェブサイト自動推薦システムによって自動で提供される多数の推薦人のうち特定の人を被推薦人が推薦人として選択するか、または推薦人順位に基づいて一人を直接推薦人として、残りの全員を間接推薦人として格納することができる。
【００８７】
図６は、本発明の少なくとも一つの実施例に係る推薦人自動認識工程を説明するためのフローチャートである。図７は、本発明の少なくとも一つの実施例に係る被推薦人端末機に提供される推薦人認識情報画面である。本実施例では、推薦人が複数人存在する場合を表している。
【００８８】
図６に示すように、まず、被推薦人が被推薦人端末機（３００）を介してウェブサイトに接続し会員加入手続きを行うと（ステップＳ３００２）、管理サーバーの推薦情報収集部で被推薦人ＤＢを検索し（ステップＳ３００４）、現在会員加入しようとする人が既存の会員の推薦を受けた被推薦人なのかを確認する。即ち、当該人を推薦した推薦人が存在するかを確認する（ステップＳ３００６）。
【００８９】
ステップＳ３００６での確認の結果推薦人が存在しなければ、推薦人なしで会員情報を格納し（ステップＳ３０１８）、推薦人が存在すれば、推薦人が一人なのかを再び確認する（ステップＳ３００８）。
【００９０】
ステップＳ３００８での確認の結果推薦人が一人であれば、当該推薦人を格納し（ステップＳ３０１２）、推薦人が複数人であれば、図７に示すように、推薦人選択ウィンドウを被推薦人端末機（３００）に提供し（ステップＳ３０１０）、被推薦人が推薦人を選択するようにする（ステップＳ３０１２）。
【００９１】
次に、被推薦人によって選択された人を推薦人として格納し（ステップＳ３０１４）、会員情報と一緒に格納する（ステップＳ３０１８）。ここで、被推薦人によって選択された一人を、被推薦人に直接的な影響を与えたと考えられる推薦人である直接推薦人として格納し、残りの人を間接推薦人として格納することができる。被推薦人が多数の推薦人のうち特定の推薦人を選択しない場合は、ウェブサイト自動推薦システムで推薦人順位に基づいて特定の推薦人を直接推薦人として抽出して格納し、残りの推薦人を間接推薦人として格納することができる。さらに、特定の推薦人を直接推薦人として抽出しないで、多数の推薦人全員を推薦人として格納することもできる。なお、管理サーバーの推薦情報収集部は、推薦人に対して、直接推薦人として選択されたか、間接推薦人として選択されたかを通知してもよい。
【００９２】
次に、抽出した推薦人に対し、推薦に伴う報償としてポイントを提供する（ステップＳ３０１６）。ここで、ポイント提供時に直接推薦人と間接推薦人に差を置いてポイントを提供してもよいし、同一にポイントを提供してもよい。
【００９３】
上述したように、本発明の少なくとも一つの実施例によれば、推薦のメッセージを受信した被推薦人が当該ウェブサイトに会員加入する際に、氏名、携帯電話番号などを入力すると、ウェブサイト自動推薦システムで被推薦人登録状態を確認し、格納された多数の推薦人を自動で抽出するので、被推薦人が会員加入する際に推薦人のＩＤ、氏名などを別途入力する負担を解消することができる。
【００９４】
本発明の少なくとも一つの実施例は、コンピューターで読み取り可能な記録媒体にコンピューターで読み取り可能なコードとして具現することができる。コンピューターで読み取り可能な記録媒体は、データを格納するすべての種類の記録装置を含む。コンピューターで読み取り可能な記録媒体の例として、ＲＯＭ、ＲＡＭ、ＣＤ−ＲＯＭ、磁気テープ、フロッピディスク、光データ格納装置などを挙げることができる。さらに、キャリアウェーブ（インターネットを介しての転送）の形態で具現されるものも含む。コンピューターで読み取り可能な記録媒体は、有無線通信ネットワークで接続されたコンピューター装置に分散し、分散方式でコンピューターで読み取り可能なコードが格納し、そして実行することができる。
【００９５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００９６】
１００：推薦人端末機          ２００：ウェブサイト自動推薦システム
２１０：管理サーバー          ２１２：推薦情報収集部
２１４：推薦順位決定部        ２１６：推薦人抽出部
２２０：データベース          ２２２：会員ＤＢ
２２４：推薦人ＤＢ            ２２６：被推薦人ＤＢ
３００：被推薦人端末機
【図１】
2018013993.tif 000003
【図２】
2018013993.tif 000004
【図３】
2018013993.tif 000005
【図４】
2018013993.tif 000006
【図５】
2018013993.tif 000007
【図６】
2018013993.tif 000008
【図７】
2018013993.tif 000009